(57)【要約】【課題】アナログテレビジョン放送が終了した後においてもより簡単な構造にて、放送波の受信感度不良に起因する放送番組の画質の悪化に対応することが出来る記録再生装置、表示装置及びコンピュータプログラムを提供する。【解決手段】記録すべき放送番組を、複数セグメント放送波及びワンセグメント放送波から取得して記録しておき、記録した放送番組の再生の際には、必要に応じて、記録された複数セグメント放送波に係る前記放送番組及びセグメント放送波に係る該放送番組から何れかを選択して再生する。【選択図】図１
2011035821.tif 000002
【特許請求の範囲】
【請求項１】
デジタル放送波を受信して放送番組を記録及び再生する記録再生装置において、
複数セグメント放送波に係る放送番組と、ワンセグメント放送波に係る該放送番組とを記録する記録手段と、
前記放送番組の再生の際、記録された複数セグメント放送波に係る該放送番組及びワンセグメント放送波に係る該放送番組から何れかを選択する再生選択手段と
を備えていることを特徴とする記録再生装置。
【請求項２】
再生すべき放送番組の画質を検出する画質検出手段を備え、
該画質検出手段の検出結果に基づき、前記再生選択手段が選択を行うように構成されていることを特徴とする記録再生装置。
【請求項３】
前記画質検出手段の検出結果に基づき、記録されたワンセグメント放送波に係る放送番組を削除する削除手段を備えていることを特徴とする記録再生装置。
【請求項４】
請求項１から請求項３の何れか一つに記載の記録再生装置と、
表示部とを備え、
前記記録再生装置によって記録された放送番組を再生して前記表示部に表示する表示装置。
【請求項５】
デジタル放送波を受信して放送番組を記録及び再生する記録再生装置が備えるコンピュータに実行させるコンピュータプログラムにおいて、
コンピュータに、複数セグメント放送波に係る放送番組及びワンセグメント放送波に係る該放送番組の記録を指示させるステップと、
コンピュータに、再生すべき放送番組の画質を検出させる画質検出ステップと、
コンピュータに、該画質検出ステップの検出結果に基づき、前記放送番組の再生の際、記録された複数セグメント放送波に係る該放送番組及びワンセグメント放送波に係る該放送番組から何れかを選択させるステップと
を実行させることを特徴とするコンピュータプログラム。
【発明の詳細な説明】
【技術分野】
【０００１】
本発明は、デジタル放送波を受信して放送番組を記録又は再生する記録再生装置、該記録再生装置を備えた表示装置、及びコンピュータにデジタル放送波を受信させて放送番組を記録又は再生させるコンピュータプログラムに関する。
【背景技術】
【０００２】
テレビジョン信号等の電波（放送波）は、季節、天気等の影響により受信感度が変動し、又は受信感度が悪くなる場合がある。このように、受信する放送波の受信感度が悪くなった場合、アナログ放送の放送波の場合は画像の歪みが発生し、デジタル放送の放送波の場合はブロックノイズが発生する等の画質の劣化が生じる問題がある。  
【０００３】
このような問題に対して、例えば特許文献１では、デジタル放送及びアナログ放送の受信感度に基づき、何れか一方を選択して録画し、切り替え情報に基づいて画像データを再生する携帯情報端末を開示している。
【０００４】
また、特許文献２では、録画された放送番組が受信感度不良のために所定の画質以下である場合、前記放送番組のうち、受信感度不良に係る部分に対応する正常画像を外部のサーバー装置から取得し、受信感度不良に係る部分に置き換える携帯型テレビ放送受信装置を開示している。
【先行技術文献】
【特許文献】
【０００５】
【特許文献１】特開２００７−１６５９９３号公報
【特許文献２】特開２００８−２９４５９４号公報
【発明の概要】
【発明が解決しようとする課題】
【０００６】
しかしながら、特許文献１の携帯情報端末においては、アナログテレビジョン放送が行われない場合は対応できないという問題がある。また、特許文献２の携帯型テレビ放送受信装置においては、受信感度不良に係る部分に対応する正常画像を外部のサーバーから取得するための通信手段と、受信感度不良に係る部分及び正常画像をつなぎあわせる手段とを別途備える必要があり、その構成が複雑になるという問題がある。
【０００７】
本発明は、斯かる事情に鑑みてされたものであり、その目的とするところは、記録すべき放送番組を、複数セグメント放送波及びワンセグメント放送波から取得して記録しておき、記録した放送番組の再生の際には、必要に応じて、記録された複数セグメント放送波に係る前記放送番組及びセグメント放送波に係る該放送番組から何れかを選択して再生することにより、アナログテレビジョン放送が行われない場合においてもより簡単な構造にて、放送波の受信感度不良に起因する前記放送番組の画質の悪化に対応することが出来る記録再生装置、表示装置及びコンピュータプログラムを提供することにある。
【課題を解決するための手段】
【０００８】
本発明に係る記録再生装置は、デジタル放送波を受信して放送番組を記録及び再生する記録再生装置において、複数セグメント放送波に係る放送番組と、ワンセグメント放送波に係る該放送番組とを記録する記録手段と、前記放送番組の再生の際、記録された複数セグメント放送波に係る該放送番組及びワンセグメント放送波に係る該放送番組から何れかを選択する再生選択手段とを備えていることを特徴とする。
【０００９】
本発明にあっては、複数セグメント放送波に係る放送番組及びワンセグメント放送波に係る該放送番組を記録手段に記録しておき、必要に応じて、記録された複数セグメント放送波に係る該放送番組及びワンセグメント放送波に係る該放送番組から何れかを選択して再生する。
【発明の効果】
【００１０】
本発明によれば、記録した放送番組の再生の際には、必要に応じて、記録された複数セグメント放送波に係る前記放送番組及びセグメント放送波に係る該放送番組から何れかを選択して再生するので、アナログテレビジョン放送が行われない場合においてもより簡単な構造にて、放送波の受信感度不良に起因する前記放送番組の画質の悪化に対応することが出来る。
【図面の簡単な説明】
【００１１】
【図１】本発明の実施の形態１のテレビジョン受像機の要部構成を示す機能ブロック図である。
【図２】実施の形態１のテレビジョン受像機の制御部の要部構成を示す機能ブロック図である。
【図３】本発明の実施の形態１のテレビジョン受像機による記録再生処理を説明するフローチャートである。
【図４】本発明の実施の形態２のテレビジョン受像機の要部構成を示す機能ブロック図である。
【発明を実施するための形態】
【００１２】
以下、本発明に係る記録再生装置及び表示装置としてテレビジョン受像機を例に挙げ、その実施の形態を示す図面に基づいて詳述する。本発明のテレビジョン受像機は、後述する再生選択部８、画質検出部１０４、ワンセグ削除部１０５及びＨＤＤ１５を備える記録再生装置、並びに表示部９及びスピーカ１からなる出力部を備えている。
（実施の形態１）
図１は本発明の実施の形態１のテレビジョン受像機１の要部構成を示す機能ブロック図である。実施の形態１のテレビジョン受像機１はアンテナ２を備えており、アンテナ２に届く地上デジタル放送波が受信される。該地上デジタル放送波は、約６ＭＨｚの伝送帯域幅の１チャンネルを１３のセグメント（ＯＦＤＭセグメント）に分割し、その中央の１セグメントは携帯端末用の放送（以下、ワンセグ放送と言う。）に割り当て、他の１２セグメントは複数セグメントに係る放送、例えば４セグメントを用いるスタンダード放送又は１２セグメントを用いるハイビジョン（ＨＤＴＶ）放送（以下、フルセグ放送と言う。）に割り当てられている。以下の説明においては、地上デジタル放送波にワンセグ放送及びフルセグ放送に係るＯＦＤＭデータが多重化されている場合を例として説明する。
【００１３】
アンテナ２に届いた地上デジタル放送波はセグメント毎にフィルタリングされ、フルセグチューナ３及びワンセグチューナ４が夫々ワンセグ放送及びフルセグ放送に係るＯＦＤＭデータを受信する。また、フルセグチューナ３及びワンセグチューナ４からは夫々フルセグ放送及びワンセグ放送に係るＩＦ（中間周波数）データが出力され、該ＩＦデータはＯＦＤＭ復調部５に送られる。
【００１４】
ＯＦＤＭ復調部５はフルセグチューナ３及びワンセグチューナ４からのＩＦデータをセグメント毎にＯＦＤＭ復調し、これより得られるトランスポートストリームデータ（ＴＳデータ）から対応する番組パケット（ＭＰＥＧデータ）を分離抽出する。分離抽出された番組パケットはワンセグ放送及びフルセグ放送別に、ＨＤＤ１５に送られて記録され、若しくはワンセグ復号部６、フルセグ復号部７及び音声復号部１２に送られて再生される。
【００１５】
ＨＤＤ１５は、ＯＦＤＭ復調部５が出力する番組パケット（ＭＰＥＧデータ）を記憶する。具体的には、ＯＦＤＭ復調部５から出力されるフルセグ放送の番組パケット（ＭＰＥＧ２形式の映像データ及び音声データ）及びワンセグ放送の番組パケット（ＭＰＥＧ４形式の映像データ及びＭＰＥＧ２形式の音声データ）を、フルセグ放送の番組パケット（ＭＰＥＧ２形式の映像データ及び音声データ）と、ワンセグ放送の番組パケット（ＭＰＥＧ４形式の映像データ及びＭＰＥＧ２形式の音声データ）とに分けて、夫々フルセグＨＤＤ１５１及びワンセグＨＤＤ１５２に記憶する。
【００１６】
フルセグ復号部７は、ＯＦＤＭ復調部５から出力されるフルセグ放送の番組パケット（ＭＰＥＧ２形式の映像データ）を映像データに復号して出力する。一方、ワンセグ復号部６は、ＯＦＤＭ復調部５から出力されるワンセグ放送の番組パケット（ＭＰＥＧ４形式の映像データ）を映像データに復号して出力する。音声復号部１２は、ＯＦＤＭ復調部５から出力されるフルセグ放送の番組パケット（ＭＰＥＧ２形式の音声データ）、又はワンセグ放送の番組パケット（ＭＰＥＧ２形式の音声データ）のいずれかを音声データに復号し、スピーカ１１を介して音声出力させる。
【００１７】
フルセグ復号部７若しくはワンセグ復号部６から出力される映像データは再生選択部８に送られる。再生選択部８は、後述する画質検出部１０４の検出結果に基づき、放送番組の再生においてフルセグ放送番組及びワンセグ放送番組からの何れかを選択する。つまり、再生選択部８はフルセグ復号部７から出力される映像データ又はワンセグ復号部６から出力される映像データの何れかを選択して表示部９に出力して画像表示させる。
【００１８】
操作部１６は、電源のオン／オフ指示、チャンネル選局指示、音量調節指示、放送番組の記録指示、及び記録した番組の再生指示等を、利用者から受け付けるための各種ボタンを備えている。
【００１９】
ＲＯＭ１３は、制御部１０のＣＰＵ１０１が実行する各種制御プログラム、及びこれら処理プログラムに用いられる各種制御データ等を予め記憶する。前記各種制御データとは、例えば閾値ブロックノイズ数を含む。ＲＡＭ１４は、ＣＰＵ１０１の作業エリアとして用いられ、前記制御プログラムの実行の際に発生するデータを一時記憶する。また、ＲＡＭ１４はＯＦＤＭ復調部５の出力をＨＤＤ１５に転送する際のバッファメモリとしても使用される。
【００２０】
図２は実施の形態１のテレビジョン受像機１の制御部１０の要部構成を示す機能ブロック図である。制御部１０はＣＰＵ１０１と、ワンセグ記録部１０２と、フルセグ記録部１０３と、画質検出部１０４と、ワンセグ削除部１０５とを備えている。
ＣＰＵ１０１はフルセグ放送番組（画像データ）のブロックノイズが前記閾値ブロックノイズ数以上であるか否か等の判定、及びＲＯＭ１３に予め格納されている制御プログラムをＲＡＭ１４上にロードして実行することによって前述の各種ハードウェアの制御を行い、装置全体を本発明の実施の形態１のテレビジョン受像機１として動作させる。
【００２１】
ワンセグ記録部１０２は、例えば利用者からの所定放送番組の録画指示に応じて、ＯＦＤＭ復調部５から出力される、前記所定放送番組に係るワンセグ放送の番組パケットをワンセグＨＤＤ１５２に記録する。一方、フルセグ記録部１０３は、例えば利用者からの所定放送番組の録画指示に応じて、ＯＦＤＭ復調部５から出力される、前記所定放送番組に係るフルセグ放送の番組パケットをフルセグＨＤＤ１５１に記録する。
【００２２】
画質検出部１０４は、再生すべき放送番組の画質を検出する。詳しくは、画質検出部１０４はフルセグＨＤＤ１５１が記憶しているフルセグ放送の番組パケットの画像データ、若しくはフルセグ復号部７によるフルセグ放送の番組パケットの復号に係る映像データのブロックノイズを検出する。画質検出部１０４による前記ブロックノイズの検出結果に基づき、再生選択部８は放送番組の再生においてフルセグ放送番組及びワンセグ放送番組の何れかを選択し、ワンセグ削除部１０５は下記のようにワンセグ放送の番組パケットの削除を行う。
【００２３】
ワンセグ削除部１０５は、上述したように、画質検出部１０４によるブロックノイズの検出結果に基づき、ワンセグ放送の番組パケットを削除する。詳しくは、ワンセグ放送の番組パケットのワンセグＨＤＤ１５２への記録が終了した後、画質検出部１０４は当該画像データのブロックノイズを検出する。画質検出部１０４によってブロックノイズがないと検出された場合、ワンセグ削除部１０５は、ワンセグＨＤＤ１５２が記憶しているワンセグ放送の番組パケットを削除し、無駄なデータが記録されることを防ぐ。
【００２４】
前記ブロックノイズの検出方法としては、例えば、画像データを所定の単位ブロックに分割し、分割された単位ブロック内の画素レベルが変動しているか否かを検出すると共に、当該単位ブロック内のレベル変動が検出されなかった単位ブロックについて、当該単位ブロック及び隣接単位ブロック間の互いに隣接する画素同士の差分値を求め、当該差分値を所定の閾値と閾値判定することによりノイズブロックを判定するもので、それ自体公知の技術である。
【００２５】
なお、以上の記載では、再生すべき放送番組の画質の検出において画質検出部１０４によるブロックノイズの検出を例に挙げて説明したが、これに限るものでなく、前記画像データのビットエラーレートを検出する検出部を備えるように構成しても良い。
【００２６】
図３は本発明の実施の形態１のテレビジョン受像機１による記録再生処理を説明するフローチャートである。以下においては説明の便宜上、利用者が所定放送番組の記録を指示し、所定放送番組の記録の終了後、直ちに再生を指示する場合を例として説明する。
利用者は操作部１６を操作し所定放送番組の記録を指示する。ＣＰＵ１０１は操作部１６を介して記録の指示を受け付け、フルセグチューナ３及びワンセグチューナ４に、前記所定放送番組のワンセグ放送及びフルセグ放送に係るＯＦＤＭデータを受信するように指示する。フルセグチューナ３及びワンセグチューナ４によって受信された、前記所定放送番組のワンセグ放送及びフルセグ放送に係るＯＦＤＭデータは、ＯＦＤＭ復調部５によってＯＦＤＭ復調される。これによって得られる所定放送番組に係るワンセグ放送の番組パケットをワンセグ記録部１０２がワンセグＨＤＤ１５２に記録し、前記所定放送番組に係るフルセグ放送の番組パケットをフルセグ記録部１０３がフルセグＨＤＤ１５１に記録する（ステップＳ１０１）。
【００２７】
所定放送番組に係るワンセグ放送及びフルセグ放送の番組パケットの記録が終了した場合、ＣＰＵ１０１は画質検出部１０４に指示することにより、前記記録に係る所定放送番組の画像データの画質を検出する（ステップＳ１０２）。ＣＰＵ１０１の指示に応じて、画質検出部１０４はフルセグＨＤＤ１５１が記憶しているフルセグ放送の番組パケットの画像データのブロックノイズを検出する。
【００２８】
ＣＰＵ１０１は、画質検出部１０４による検出結果に基づき、ブロックノイズの有無について判定する（ステップＳ１０３）。ＣＰＵ１０１はブロックノイズがないと判定した場合（ステップＳ１０３：ＮＯ）、ワンセグ削除部１０５に指示することにより、ワンセグＨＤＤ１５２が記憶しているワンセグ放送の番組パケットを削除する（ステップＳ１１５）。ワンセグ削除部１０５はＣＰＵ１０１の指示に応じて該ワンセグ放送の番組パケットを削除する。
【００２９】
次いで、ＣＰＵ１０１は前記所定放送番組の再生指示を受け付けたか否かの判定を行う（ステップＳ１１６）。該判定は、ＣＰＵ１０１が操作部１６を監視することにより行われる。ＣＰＵ１０１は前記所定放送番組の再生指示を受け付けていないと判定した場合（ステップＳ１１６：ＮＯ）、再生指示を受け付けるまで待機する。一方、ＣＰＵ１０１は前記所定放送番組の再生指示を受け付けたと判定した場合（ステップＳ１１６：ＹＥＳ）、フルセグ放送番組を再生し（ステップＳ１１７）、処理を終了する。すなわち、ＣＰＵ１０１はフルセグＨＤＤ１５１が記憶しているフルセグ放送の番組パケットを、フルセグ復号部７に出力して復号し、表示部９に表示する。
【００３０】
一方、ステップＳ１０３にて、ＣＰＵ１０１はブロックノイズがあると判定した場合（ステップＳ１０３：ＹＥＳ）、操作部１６を監視することにより前記所定放送番組の再生指示を受け付けたか否かの判定を行う（ステップＳ１０４）。ＣＰＵ１０１は前記所定放送番組の再生指示を受け付けていないと判定した場合（ステップＳ１０４：ＮＯ）、再生指示を受け付けるまで待機する。一方、ＣＰＵ１０１は前記所定放送番組の再生指示を受け付けたと判定した場合（ステップＳ１０４：ＹＥＳ）、フルセグ放送番組を再生する（ステップＳ１０５）。詳しくは、フルセグＨＤＤ１５１が記憶しているフルセグ放送の番組パケットと、ワンセグＨＤＤ１５２が記憶しているワンセグ放送の番組パケットとが、夫々フルセグ復号部７及びワンセグ復号部６に出力されて復号されるが、再生選択部８によってフルセグ復号部７からのフルセグ放送に係る画像データの出力のみが選択され、フルセグ放送番組に係る画像データが表示部９に表示される。ワンセグ復号部６からのワンセグ放送に係る画像データの出力は制限される。
【００３１】
次いで、ＣＰＵ１０１は、例えば番組パケットヘッダに含まれる再生時刻データに基づき、前記所定放送番組（フルセグ放送番組）の再生が終了したか否かを判定し（ステップＳ１０６）、前記所定放送番組の再生が終了したと判定した場合（ステップＳ１０６：ＹＥＳ）、処理を終了する。
【００３２】
一方、ＣＰＵ１０１は前記所定放送番組の再生が終了していないと判定した場合（ステップＳ１０６：ＮＯ）、画質検出部１０４に指示することにより、再生に係る所定放送番組の画像データの画質を検出する（ステップＳ１０７）。ＣＰＵ１０１の指示に応じて、画質検出部１０４はフルセグ復号部７で復号されるフルセグ放送の番組パケット（ＭＰＥＧ２形式の映像データ）のブロックノイズを検出する。なお、前記画質検出は、所定のインターバル毎に行うように構成しても良い。
【００３３】
次いで、ＣＰＵ１０１は、画質検出部１０４によって検出されたブロックのノイズの数を、ＲＯＭ１３に予め格納されている前記閾値ブロックノイズ数と比較し、閾値ブロックノイズ数以上であるか否かを判定する（ステップＳ１０８）。ＣＰＵ１０１は閾値ブロックノイズ数以上でないと判定した場合（ステップＳ１０８：ＮＯ）、前記所定放送番組のフルセグ放送番組の再生を続けると共に、処理をステップＳ１０６に戻す。一方、ＣＰＵ１０１は閾値ブロックノイズ数以上であると判定した場合（ステップＳ１０８：ＹＥＳ）、再生選択部８に指示することにより、前記所定放送番組の再生において、ワンセグ放送番組の選択を行う（ステップＳ１０９）。詳しくは、ＣＰＵ１０１の指示に応じて再生選択部８は、ワンセグ復号部６からのワンセグ放送番組に係る画像データの出力を選択し、フルセグ復号部７からのフルセグ放送番組に係る画像データの出力を制限する。従って、ワンセグ放送番組に係る画像データが表示部９に出力され、ワンセグ放送番組が再生される（ステップＳ１１０）。
【００３４】
次いで、ＣＰＵ１０１は前記所定放送番組（ワンセグ放送番組）の再生が終了したか否かを判定し（ステップＳ１１１）、前記所定放送番組の再生が終了したと判定した場合（ステップＳ１１１：ＹＥＳ）、処理を終了する。一方、ＣＰＵ１０１は前記所定放送番組の再生が終了していないと判定した場合（ステップＳ１１１：ＮＯ）、画質検出部１０４に指示することにより、フルセグ復号部７で復号されるフルセグ放送の番組パケット（ＭＰＥＧ２形式の映像データ）の画質を検出する（ステップＳ１１２）。
【００３５】
次いで、ＣＰＵ１０１は、画質検出部１０４によって検出されたブロックのノイズの数を、前記閾値ブロックノイズ数と比較し、閾値ブロックノイズ数以上であるか否かを判定する（ステップＳ１１３）。ＣＰＵ１０１は閾値ブロックノイズ数以上であると判定した場合（ステップＳ１１３：ＹＥＳ）、前記所定放送番組のワンセグ放送番組の再生を続けると共に、処理をステップＳ１１１に戻す。一方、ＣＰＵ１０１は閾値ブロックノイズ数以上でないと判定した場合（ステップＳ１１３：ＮＯ）、再生選択部８に指示することにより、前記所定放送番組の再生において、フルセグ放送番組の選択を行い（ステップＳ１１４）、処理をステップＳ１０５に戻す。  
【００３６】
なお、本発明は以上の記載内容に限るものでない。例えば、フルセグ放送番組の再生からワンセグ放送番組の再生への切替に先立って、画像の大きさを１／２に縮小させ、前記切替による画像の縮小からの違和感に対応するように構成しても良く、フルセグ放送番組の画像データを間引いて解像度を下げる処理、ワンセグ放送番組の画像データに補間処理を行って解像度を上げる処理等を施すように構成しても良い。
【００３７】
（実施の形態２）
図４は本発明の実施の形態２のテレビジョン受像機の要部構成を示す機能ブロック図である。実施の形態２のテレビジョン受像機１は、動作を行うためのプログラムが、通信ＩＦ１７を介してＣＤ‐ＲＯＭ等の記録媒体の可搬型記録媒体Ａで提供することも可能であるように構成されている。さらに、実施の形態２のテレビジョン受像機１は、前記コンピュータプログラムを、図示しない外部装置から通信ＩＦ１７を介してダウンロードすることも可能であるように構成されている。以下に、その内容を説明する。
【００３８】
実施の形態２のテレビジョン受像機１は外装（又は内装）の記録媒体読み取り装置（図示せず）を備えており、該記録媒体読み取り装置に、複数セグメント放送波に係る放送番組と、ワンセグメント放送波に係る該放送番組との記録を指示させ、再生すべき放送番組の画質を検出させ、画質の検出結果に基づき、前記放送番組の再生の際、記録された複数セグメント放送波に係る該放送番組及びワンセグメント放送波に係る該放送番組から何れかを選択させるプログラム等が記録された可搬型記録媒体Ａを挿入して、例えばＨＤＤ１５にこのプログラムをインストールする。斯かるプログラムはＲＡＭ１４にロードして実行される。これにより、実施の形態１の本発明のテレビジョン受像機１として機能する。
【００３９】
実施の形態１と同様の部分については、同一の符号を付して詳細な説明を省略する。
なお、以上においては、テレビジョン受像機を例に挙げて説明したがこれに限るものでなく、ＰＤＡ、ナビゲーション、並びに外部に表示部を有する記録再生装置等にも適用可能であることは言うまでもない。
【符号の説明】
【００４０】
１  テレビジョン受像機
８  再生選択部
９  表示部
１５  ＨＤＤ
１０２  ワンセグ記録部
１０３  フルセグ記録部
１０４  画質検出部
１０５  ワンセグ削除部
【図１】
2011035821.tif 000003
【図２】
2011035821.tif 000004
【図３】
2011035821.tif 000005
【図４】
2011035821.tif 000006